(57)【要約】
【課題】  袋を、容易且つ迅速に取り換えてペットの糞を回収すると共に、使用済みの袋を使用して糞の回収に伴う費用を削減する。
【解決手段】  ２つの回収板材１，１が、袋１０の開き口１０ｂに対向するように一体に設けられ、回収板材１，１が把持部２，２と、糞拾い部５，５と、袋掛部３，３とからなり該袋掛部に袋１０が着脱自在に掛止されるようにすると共に、回収板材１，１の糞拾い部５，５が袋１０の開き口１０ｂの両外側に位置するように、回収板材１，１を反転した際に、糞拾い部５，５が袋によって包被されるように構成して、糞１１が回収板材１，１に接触しないようにし、糞１１を収納した袋１０は捨てて回収板材１，１を繰り返し利用する。
【選択図】  図１
0003100970.tif 000002
【実用新案登録請求の範囲】
【請求項１】
２つの回収板材が、袋の開き口の縁で対向するように設けられ、回収板材により糞を拾い上げ収納し、持ち運びする糞拾い器において、回収板材が、把持部と、糞拾い部と、袋掛部とを設けてなり、袋掛部に袋の開き口の縁を着脱自在に掛止するように構成されてなることを特徴とするペットの糞拾い器。
【請求項２】
回収板材が、一辺を糞拾い部とした正方形若しくは長方形の弾力性の板材であって、糞拾い部の反対側に長穴を開けて把持部とすると共に、把持部と糞拾い部との間に袋掛部が設けられていることを特徴とする請求項１に記載のペットの糞拾い器。
【請求項３】
袋掛部は、把持部側と左右両側の三辺に切り込みを入れて形成された矩形状の舌片であることを特徴とする請求項１又は２に記載のペットの糞拾い器。
【請求項４】
回収板材が、袋の開き口の外側に位置し、袋の開き口を外側へ折り曲げて、折り曲げ形成された折り曲げ縁が袋掛部に掛止されていることを特徴とする請求項１乃至３のいずれか１項に記載のペットの糞拾い器。
【請求項５】
回収板材が、発光板材若しく発光塗料を塗布した板材であることを特徴とする請求項１乃至４のいずれか１項に記載のペットの糞拾い器。
【考案の詳細な説明】
【技術分野】
【０００１】
本考案は、回収板材に袋を着脱自在に掛止して糞拾いを可能にしたペットの糞拾い器に関するものである。
【背景技術】
【０００２】
従来、犬と散歩する際、糞の後始末をするため、ビニールやスコップ等の糞拾い器を携帯している。これら糞拾い器の携帯性や糞処理が不便であることから、多くのタイプの糞拾い器が開示されている。
【０００３】
例えば、路上の糞の回収に手間取らずに、しかも、そのままゴミ箱にポイ捨てが可能なものとして、紙製の袋の開き口に、糞すくい取り部と把持部を有する回動片を袋に対向するように一体に貼着した糞取り袋が開示されている（例えば、特許文献１参照）。
【０００４】
上記糞取り袋の場合、開き口付近に形成された貼着部を介して、紙製の袋の内側に位置する糞すくい取り部を回動させると共に、糞すくい取り部が袋の開き口の外側から内側に移動するようにして、糞をすくい上げて収納し、そのまま廃棄するようになっている。
【０００５】
上記糞取り袋のほかに、長方形の糞処理板に手提げ窓が形成されており、該手提げ窓の下側には糞キャッチ板が形成され、さらに糞処理板の縁部に有色又は透明の柔軟な袋の開き口をホチキス又は接着剤で数カ所固着した糞処理袋が開示されている（例えば、特許文献２参照）。
【０００６】
前記糞処理袋によれば、扉のように開閉可能な糞キャッチ板により、直接に糞を挟むようにして袋内に拾い上げて収納するようになっている。例えば、ホチキスを使用している場合、使用後には、ホチキスを取り外して、糞の収納された袋のみを廃棄し、糞処理板を洗浄して再使用も可能である。
【０００７】
【特許文献１】公開実用新案平３−６７５４５号公報（第１−１０頁、第３−５図）
【特許文献２】登録実用新案３０５８０５９号公報（第１−５頁、第１−３図）
【考案の開示】
【考案が解決しようとする課題】
【０００８】
しかしながら、前者の糞取り袋の場合は袋と回動片とが一体に形成されているので、回動片を再使用することができず、糞の回収に伴う費用が嵩むといった問題点がある。
【０００９】
一方、後者の糞処理袋の場合、糞処理板は袋にホチキス又は接着剤で固着されているので袋と糞処理板との分離が面倒であり、又、糞処理板に糞が付着するので糞処理板を何回も使用するとなれば洗浄しなければならないといった問題点がある。
【００１０】
そこで、本考案は上記問題点を解決するため、袋を容易且つ迅速に取り換えて、ペットの糞を回収すると共に、糞処理板（回収板材）を洗浄することなく繰り返し使用できるようにすることで、糞の回収に伴う費用を削減するようにしたペットの糞拾い器を提供することを目的とする。
【課題を解決するための手段】
【００１１】
請求項１に示す如く、２つの回収板材が、袋の開き口の縁で対向するように設けられ、回収板材により糞を拾い上げ収納し、持ち運びする糞拾い器において、回収板材が、把持部と、糞拾い部と、袋掛部とを設けてなり、袋掛部に袋の開き口の縁を着脱自在に掛止するように構成されてなるものである。
【００１２】
従って、回収板材に着脱自在に袋掛部が設けられているので、例えば、犬との散歩において、袋と回収板材を分離させた状態で携帯しておき、ペットの糞を拾う場合には、容易且つ迅速に袋を回収板材に引っ掛けて、回収板材で糞を拾って袋に収納し、帰宅後には、袋を回収板材から容易且つ迅速に取り外して、袋のみを廃棄できる。
【００１３】
さらに、袋は、買い物した際の収納用のポリエチレン製の袋等を回収板材に着脱自在に掛止して取り付けるようにすれば、これら不要な袋（例えば、使用済みの袋）が廃棄することなく再利用され、有効に活用することができる。
【００１４】
請求項２に示す如く、一辺を糞拾い部とした回収板材が、正方形若しくは長方形の弾力性の板材であって、糞拾い部の反対側に長穴を開けて把持部とすると共に、把持部と糞拾い部との間に袋掛部が設けられたものである。
【００１５】
従って、回収板材には把持部、袋掛部、糞拾い部が順次設けられているので、板材面が効率よく利用され、しかも、コンパクトな構成となっている。
【００１６】
請求項３に示す如く、袋掛部は、把持部側と左右両側の三辺に切り込みを入れ形成された矩形状の舌片である。
【００１７】
従って、上記のように袋掛部を矩形状の舌片に形成することにより、扉のように開閉自在となり、しかも、弾性力を有するので、袋の縁を狭持し易くなる。
【００１８】
また、上記の如く、袋掛部を矩形状の舌片を形成することで、回収板材の安価な製作が可能になると共に、袋の開き口の縁が容易に且つ迅速に回収板材に掛止可能となる。
【００１９】
袋掛部は多くの態様が考えられるが、例えば、袋掛部を別体として、回収板材の袋側の板材面に固着し、袋掛部に袋の開き口の縁を引っ掛けてクリップするような構成にしても良い。
【００２０】
請求項４に示す如く、回収板材が、袋の開き口の外側に位置し、袋の開き口を外側へ折り曲げて、折り曲げ形成された折り曲げ縁が袋掛部に掛止されたものである。
【００２１】
従って、回収板材の糞拾い部が袋の外側に位置するように掛止したので、回収板材を把持して回動させて反転させると、糞拾い部は該糞拾い部の側方に位置する袋面を内側方向に巻き込むことになり、袋掛部から糞拾い部にかけて袋で覆われる。従って、糞拾い部に糞が直接触れることはなくなる。
【００２２】
請求項５に示す如く、回収板材が、発光板材若しく発光塗料を塗布した板材にすると良い。そうすれば、暗闇でも糞拾いがやり易くなる。
【考案の効果】
【００２３】
以上説明したように、本考案のペットの糞拾い器は、回収板材が把持部と糞拾い部と袋掛部とからなり、該袋掛部に袋が着脱自在に掛止するように構成されているので、使用済みの袋を使用することにより、リサイクルが図られる共に、回収板材と袋を分離することにより、回収板材は繰り返し使用できる。従って、糞の回収に伴う費用が削減できる。
【００２４】
回収板材が一辺を糞拾い部とした正方形若しくは長方形の回収板材の板材であって、一辺に糞拾い部を設け、該糞拾い部の反対側に長穴を開けて把持部とすると共に、把持部と糞拾い部との間に袋掛部が設けられているので、糞の回収と持ち運びに好適である。
【００２５】
袋掛部は、把持部側と左右両側の三辺に切り込みを入れて形成された矩形状の舌片としたので、シンプルに加工ができ製造費を安価に抑えることができると共に、袋掛部で袋の開き口の縁を狭持できる。
【００２６】
さらに、回収板材が、袋の開き口の外側に位置し、袋の開き口を外側へ折り曲げ、折り曲げ形成された折り曲げ縁が袋掛部に掛止されるので、回収板材の着脱が容易且つ迅速にできると共に、糞が糞拾い部に接触しないように糞の収納を行え、回収板材の洗浄の手間を省くことができる。
【００２７】
回収板材は、発光板材又は発光塗料を塗布した板材にすれば、暗闇での糞拾いがやり易くなる。
【考案を実施するための最良の形態】
【００２８】
本考案を実施するための最良の形態として、弾力性のある合成樹脂からなる回収板材を用いて、回収板材の一辺に把持部、該把持部の反対側に糞拾い部を設けると共に、把持部と糞拾い部との間を矩形状に切り込みを入れて袋掛部を形成した例を、以下の実施例１及び実施例２で説明する。
【実施例１】
【００２９】
先ず、本考案の実施例１につき、図１〜図４を参照して説明する。
図１に示すように、２つの回収板材１，１が、例えば、ポリエチレン性の使用済みの袋１０の開き口１０ｂの外側の縁で対向するように設けられ、又、回収板材１，１には把持部２，２と、糞拾い部５，５と、袋掛部３，３とが設けられて、袋掛部３，３に袋１０の開き口１０ｂの折り曲げ縁１０ａを引っ掛けてある。
【００３０】
回収板材１は、袋の着脱を容易且つ迅速にし、しかも、糞を収納して持ち運び易くするために、図２に示すように、略正方形の弾力性の板材（例えば、合成樹脂製の板材）からなる回収板材１の一辺を糞拾い部５として、該糞拾い部５の反対側に、略長方形をした長穴２ｂをあけて指が入るようにし、把持部２を形成する。把持部２は、長穴２ｂの上下に上部把持部２ａ、下部把持部２ｃとを形成してなる。
【００３１】
又、回収板材１の把持部２と糞拾い部５との間に袋掛部３が設けられた矩形状の舌片に形成され、板材面の一辺を残して、把持部２側の辺３ａと左右両側の辺３ｂ，３ｂの三辺に切り込みを入れて押し出すように形成する。
【００３２】
例えば、回収板材１は一辺が１０ｃｍ程度の略正方形の板材であれば、把持部２は人差し指から小指まで挿入可能に、おおむね２．５ｃｍ×７〜８ｃｍの長方形状の長穴２ｂが開けられ、一方、袋掛部３は、横方向を７〜８ｃｍ、両側縦方向を約２ｃｍ程度の寸法にて切り込まれる。そうすると、一辺を残してあるので、袋掛部３の先端側は扉のように開閉自在となり、押して開くと、開閉穴４が現れる。
【００３３】
袋１０を袋掛部３に掛止する場合には、袋１０の開き口１０ｂの縁を外側に折り曲げることによって、折り曲げ縁１０ａを形成し、袋掛部３を押し開いて、袋１０の折り曲げ縁１０ａを袋掛部３と開閉穴４との間に入れて引っ掛けると図３に示す状態となる。
【００３４】
袋掛部３は、弾力性を有するために、把持部２側の辺３ａと左右両側の辺３ｂ，３ｂの縁に折り曲げ縁１０ａが狭持されて、糞の入った袋１０を吊り下げても、外れることなく保持されて持ち運びできる。
【００３５】
次に、本考案に係るペットの糞拾い器の使用態様について、説明する。
例えば、回収板材とポリエチレン製の使用済みの袋を分離させた状態にして、ポケット等に収納し携帯して犬と散歩に出かける場合を考える。
【００３６】
犬が、散歩の途中で糞を排泄した場合、ポケット等に収納してあった回収板材１，１と袋１０を取り出す。そして、回収板材１，１が袋１０の開き口１０ｂの外側に位置するように、袋掛部３，３に袋１０の折り曲げ縁１０ａを掛止して、図１に示すような状態にする。
【００３７】
次に、糞を拾い上げる場合には、回収板材１，１を図１の状態で、上部把持部２ａ，２ａを把持しながら、外側（矢印イ方向）に、糞拾い部５，５の先端を中心にして回動させて反転させた後、袋１０の開き口１０ｂを下に向け、地面に排泄された糞１１を跨ぐようにして地面１２に当接させると、図４（ａ）に示す状態となる。
【００３８】
前記、回収板材１，１を回動させて反転させることにより、糞拾い部５，５は袋１０の開き口１０ｂを巻き込んで包被され、袋で包被された糞拾い部５，５が形成される。
【００３９】
次に、図４（ａ）の状態から、回収板材１，１の上部把持部２ａ，２ａ及び下部把持部２ｃ，２ｃの部分を把持して、左側の糞拾い部５と右側の糞拾い部５を糞１１側に近づけ、図４（ｂ）に示すように、糞１１をすくい上げる。
【００４０】
前記図４（ｂ）の状態で、上部把持部２ａ，２ａ及び下部把持部２ｃ，２ｃを把持しながら、回収板材１，１を矢印ロ、ロ方向へ、糞拾い部５，５の先端を中心にして回動させると同時に袋１０の開き口１０ｂ側が上方になるように反転させると、図４（ｃ）に示すように糞１１が袋１０内に収納された状態となる。
【００４１】
前記図４（ｃ）の状態で、回収板材１，１の長穴２ｂ，２ｂに指を挿入し、上部把持部２ａ，２ａを把持して持ち運び、帰宅後には、袋１０を袋掛部３，３から取り外して廃棄する。
【００４２】
以上説明したように、回収板材１，１が使用済みの袋１０の開き口１０ｂの外側に位置し、折り曲げ縁１０ａに掛止されているので、糞拾い部５，５が袋１０で包被された状態で、糞１１を袋１０内に収納することができる。従って、糞拾い部５，５は糞１１で汚れることはなく、洗浄する手間が省けると共に、使用済みの袋１０の使用と回収板材１，１の再使用が可能となり、糞の回収に伴う費用を削減することができる。
【００４３】
なお、袋掛部３は、本実施例に示した矩形状の舌片に限定するものではなく、例えば、対向した回収板材の内側にフックを突設して、袋の開き口を引っ掛け、クリップ等で止めて着脱自在に袋を係止するようにしても良い。
【００４４】
又、回収板材１は本実施例に示した正方形に限定されるものではなく、例えば、長方形や台形のような形状にしても良く、大きさも限定されるものではない。さらに、回収板材の表面に凹凸を設けて、糞を確実に収納するような工夫を講じても良い。
【００４５】
なお、本実施例では袋と回収板材を分離した状態で携帯した例を示したが、これに限定するものではなく、予め回収板材に袋を掛止して持ち歩いても良い。
【実施例２】
【００４６】
次に、実施例２について説明する。
実施例１に示した回収板材の表面上に、例えば、ピンク、黄色、青色等の蛍光体カラー色の塗材（市販）を塗布したり、回収板材１の表面上に、調合畜光塗料、カラー夜光塗料等の畜光塗料（市販）を全面に塗布したり、或いは発光体を含有した板材を使用するようにしても良い。
【００４７】
そうすれば、夜間の犬の散歩においても、車の往来、街灯などがあれば、回収板材がよく見えるようになるので、回収板材の位置決めがし易く、糞をすくい易くなる。
【産業上の利用可能性】
【００４８】
本考案の活用例として、汚物処理にも活用することもできる。例えば、乗り物酔い、飲み過ぎによって、バス内や路上等に嘔吐してしまったような場合にでも、糞拾い部を汚すことなく、袋内に汚物を収納して処理する場合に利用できる。
【図面の簡単な説明】
【００４９】
【図１】本考案の縦断面図である。
【図２】回収板材の斜視図である。
【図３】回収板材に袋の開き口を引っ掛けた要部断面斜視図である。
【図４】本考案の使用態様を示す図である。
【符号の説明】
【００５０】
１  回収板材
２  把持部
２ａ  上部把持部
２ｂ  長穴
２ｃ  下部把持部
３  袋掛部
３ａ，３ｂ  辺
４  開閉穴
５  糞拾い部
１０  袋
１０ａ  折り曲げ縁
１０ｂ  開き口
１１  糞
１２  地面
【図１】
0003100970.tif 000003
【図２】
0003100970.tif 000004
【図３】
0003100970.tif 000005
【図４】
0003100970.tif 000006